(57)【要約】【課題】壁部に対してコーブが設けられている構成において、壁部に関する意匠性を好適なものにすることができる建物の内装構造を提供する。【解決手段】廊下１１においては、間仕切壁１２の第１壁部１２ａにコーブ形成部２３が取り付けられている。コーブ形成部２３は、上方に向けて開放された凹部としてのコーブ２１を、第１壁部１２ａの壁面との間にコーブ２１を形成するものである。第１壁部１２ａには、コーブ形成部２３を支持する支持ブラケット３１が取り付けられている。支持ブラケット３１は、第１壁部１２ａに固定された壁固定部と、壁固定部から第１壁部１２ａとは反対側に向けて延びている腕木部とを有している。コーブ形成部２３は、第１壁部１２ａから離間した位置に設けられた幕板部と、腕木部を上方及び下方から覆う被覆部とを有しており、被覆部が腕木部に固定されている。【選択図】      図１
2014145164.tif 000002
【特許請求の範囲】
【請求項１】
建物内において壁部との間に上方又は下方に向けて開放されたコーブを形成するコーブ形成部と、
前記壁部に対して取り付けられ、前記コーブ形成部を支持する支持ブラケットと、
を備え、
前記支持ブラケットは、
前記壁部に対して固定された壁固定部と、
前記壁固定部から前記壁部とは反対側に向けて延びている腕木部と、
を有しており、
前記コーブ形成部は、
前記壁部から離間した位置に設けられ、該壁部の壁面に沿って延びている幕板部と、
前記壁部と前記幕板部との間において該幕板部に沿って延びるように設けられ、前記腕木部を上方及び下方の両方から覆う被覆部と、
を有していることを特徴とする建物の内装構造。
【請求項２】
前記被覆部は、前記腕木部を上方から覆う上板部と、該腕木部を下方から覆う下板部とを有しており、
前記腕木部は、前記上板部と前記下板部との間に入り込んだ状態になっていることを特徴とする請求項１に記載の建物の内装構造。
【請求項３】
前記被覆部は、前記上板部と前記下板部との間に設けられ且つそれら板部を連結する連結部を有しており、
前記連結部は、前記壁部の幅方向において前記腕木部に横並びに配置され、該腕木部に固定されていることを特徴とする請求項２に記載の建物の内装構造。
【請求項４】
前記腕木部は、当該腕木部の板面が上下方向に延びる向きで設けられた板部であり、
前記連結部は、当該連結部の側面が前記腕木部の板面に重ねられた状態で該腕木部に固定されていることを特徴とする請求項３に記載の建物の内装構造。
【請求項５】
前記壁固定部は、当該壁固定部の板面が前記壁部の壁面に重ねられた状態で設けられた板部であり、
前記腕木部は、前記壁固定部における側端部から延びており、
前記腕木部と前記壁固定部との接続部分は、当該壁固定部の側端部に沿って上下方向に延びていることを特徴とする請求項４に記載の建物の内装構造。
【請求項６】
前記壁固定部は、前記幕板部の上端と下端との間の高さ位置に設けられていることを特徴とする請求項１乃至５のいずれか１項に記載の建物の内装構造。
【請求項７】
前記コーブには照明器具が設置されており、該照明器具は前記被覆部の上面又は下面に対して固定されていることを特徴とする請求項１乃至６のいずれか１項に記載の建物の内装構造。
【請求項８】
前記被覆部には、前記照明器具からの光を通過させる光通過部分が設けられていることを特徴とする請求項７に記載の建物の内装構造。
【請求項９】
前記被覆部は中空部を有しており、前記壁固定部は前記中空部に入り込んだ状態になっており、
前記中空部において、前記幕板部は前記腕木部から前記壁部とは反対側に向けて離間しており、その離間部分に、前記壁部の幅方向に沿って電気配線を通すことが可能な配線通し部が設けられていることを特徴とする請求項７又は８に記載の建物の内装構造。
【請求項１０】
建物内において、照明器具を支持するための支持ブラケットが壁部に取り付けられている建物の内装構造であって、
前記支持ブラケットは、
前記壁部に対して固定された壁固定部と、
前記壁固定部から前記壁部とは反対側に向けて延びている腕木部と、
を有していることを特徴とする建物の内装構造。
【発明の詳細な説明】
【技術分野】
【０００１】
本発明は、建物の内装構造に関するものである。
【背景技術】
【０００２】
住宅等の建物における照明方式として、天井や壁などに照明を組み込んだ建築化照明（間接照明）がある。壁に照明を組み込んだ建築化照明としては、例えば、腕木としての取付金具を介して壁に幕板を取り付け、それによって壁と幕板との間に上方及び下方の両方に開放された領域を形成し、その領域に照明器具を設置した構成が挙げられる（例えば特許文献１）。この構成では、壁と幕板との間の領域において照明器具は幕板に対して固定されている。
【先行技術文献】
【特許文献】
【０００３】
【特許文献１】特開２０００−２９４３８６号公報
【発明の概要】
【発明が解決しようとする課題】
【０００４】
しかしながら、幕板が取付金具等の腕木により支持されている場合、幕板を支持する取付金具等の腕木が人の視界に入りやすく、壁に関する意匠性が低下することが懸念される。例えば、建築化照明として、天井面を照らすことで空間の明るさを得るコーブ照明が実現されている場合、幕板、腕木及び照明器具は天井寄りの高さ位置に配置されることになり、人が天井面を見た時などに腕木が下方からの視界に入りやすいと考えられる。
【０００５】
なお、人の視界に腕木が入ることで壁に関する意匠性が低下するという懸念は、壁と幕板との間に照明器具が設定されていない場合にも同様に生じる。つまり、建築化照明が実現されていなくても、壁から離間した位置に幕板が設置されている構成であれば、腕木により意匠性が低下する可能性が生じてしまう。
【０００６】
本発明は、壁部に対してコーブが設けられている構成において、壁部に関する意匠性を好適なものにすることができる建物の内装構造を提供することを主たる目的とするものである。
【課題を解決するための手段】
【０００７】
以下、上記課題を解決するのに有効な手段等につき、必要に応じて作用、効果等を示しつつ説明する。
【０００８】
第１の発明の建物の内装構造は、建物内において壁部との間に上方又は下方に向けて開放されたコーブを形成するコーブ形成部と、前記壁部に対して取り付けられ、前記コーブ形成部を支持する支持ブラケットと、を備え、前記支持ブラケットは、前記壁部に対して固定された壁固定部と、前記壁固定部から前記壁部とは反対側に向けて延びている腕木部と、を有しており、前記コーブ形成部は、前記壁部から離間した位置に設けられ、該壁部の壁面に沿って延びている幕板部と、前記壁部と前記幕板部との間において該幕板部に沿って延びるように設けられ、前記腕木部を上方及び下方の両方から覆う被覆部と、を有していることを特徴とする。
【０００９】
第１の発明によれば、支持ブラケットにより幕板部が支持される構成において、被覆部が支持ブラケットの腕木部を上下両方から覆っているため、コーブ形成部を設置する高さ位置に関係なく、人の視界に腕木部が入ることを被覆部により抑制できる。例えば、コーブ形成部が天井寄りの高さ位置に設置されている場合に下方からの視界に腕木部が入ることを回避でき、コーブ形成部が床面寄りの高さ位置に設置されている場合に上方からの視界に腕木部が入ることを抑制できる。したがって、壁部に対してコーブが設けられている構成において、壁部に関する意匠性を好適なものにすることができる。
【００１０】
第２の発明では、第１の発明において、前記被覆部は、前記腕木部を上方から覆う上板部と、該腕木部を下方から覆う下板部とを有しており、前記腕木部は、前記上板部と前記下板部との間に入り込んだ状態になっている。
【００１１】
第２の発明によれば、上板部と下板部との間の空間を、腕木部を収納するための空間として利用することができる。しかも、その空間は壁部の幅方向に沿って延びる横長空間になっているため、腕木部が壁部の幅方向に沿って複数設けられていても、全ての腕木部を上板部と下板部との間に収納することが可能になる。したがって、腕木部の配置が上板部及び下板部により制限されることがなく、コーブ形成部を支持する上で好適な位置で腕木部を配置することができる。
【００１２】
また、上板部により被覆部の上面を形成することにより、コーブ内に照明器具を設置する場合には、上板部の上に照明器具を安定した状態で載置することができる。
【００１３】
なお、被覆部が上板部及び下板部を有する構成としては、腕木部に対して上板部及び下板部を別々に取り付けることが可能な構成であることが好ましい。この場合、腕木部を被覆部により上下両方から覆う構成を容易に実現できる。
【００１４】
第３の発明では、第２の発明において、前記被覆部は、前記上板部と前記下板部との間に設けられ且つそれら板部を連結する連結部を有しており、前記連結部は、前記壁部の幅方向において前記腕木部に横並びに配置され、該腕木部に固定されている。
【００１５】
第３の発明によれば、上板部及び下板部を腕木部に直接固定するのではなく、連結部を介して腕木部に固定するため、上板部と下板部との離間距離を腕木部の高さ寸法に左右されることなく所定値に設定することができる。したがって、例えば支持ブラケットが複数設けられている場合に、各支持ブラケットの腕木部の高さ寸法に関係なく、上板部と下板部との離間距離を均一化することができる。この場合、上板部の上面や下板部の下面を平坦面にすることができ、ひいては、コーブ形成部の意匠性を高めることになる。
【００１６】
なお、上板部と下板部との間において連結部が腕木部に固定されている構成においては、前記腕木部の上下寸法が前記上板部と前記下板部との離間距離よりも小さいことが好ましい。この場合、腕木部が上板部と下板部との間に入り込んだ状態であっても、被覆部の高さ位置を腕木部に対して相対的に上下方向にずらすことが可能である。つまり、支持ブラケットを壁部に取り付けた後であっても、コーブ形成部の高さ位置を支持ブラケットに対して微調整することができる。これにより、例えばコーブ形成部が複数の支持ブラケットにより支持される構成において、各支持ブラケットの高さ位置に誤差が生じていても、コーブ形成部の高さ位置を均一にすることができる。
【００１７】
第４の発明では、第３の発明において、前記腕木部は、当該腕木部の板面が上下方向に延びる向きで設けられた板部であり、前記連結部は、当該連結部の側面が前記腕木部の板面に重ねられた状態で該腕木部に固定されている。
【００１８】
第４の発明によれば、上下方向の荷重に対する腕木部の支持強度を高めることができる。しかも、腕木部の板面が連結部の側面に重ねられているため、ビス等の固定具を腕木部を貫通させて連結部に打ち込むことが可能になっている。これにより、連結部を腕木部に固定する作業を容易化できる。
【００１９】
第５の発明では、第４の発明において、前記壁固定部は、当該壁固定部の板面が前記壁部の壁面に重ねられた状態で設けられた板部であり、前記腕木部は、前記壁固定部における側端部から延びており、前記腕木部と前記壁固定部との接続部分は、当該壁固定部の側端部に沿って上下方向に延びている。
【００２０】
第５の発明によれば、腕木部と壁固定部との接続部分が上下方向に延びているため、その接続部分について上下方向の荷重に対する接続強度を高めるこができる。したがって、支持ブラケットによりコーブ形成部２３を好適に支持できる。しかも、腕木部の端部が壁固定部の側端部に接続されているため、直交配置された２つの板部を有する板材を折り曲げるという容易な作業により、支持ブラケットを作製することが可能になる。
【００２１】
第６の発明では、第１乃至第５のいずれかの発明において、前記壁固定部は、前記幕板部の上端と下端との間の高さ位置に設けられている。
【００２２】
第６の発明によれば、壁固定部が幕板部により覆い隠された状態になるため、人の視界に壁固定部が入りにくい構成を実現できる。したがって、壁部に関する意匠性が壁固定部により低下するということを抑制できる。
【００２３】
第７の発明では、第１乃至第６のいずれかの発明において、前記コーブには照明器具が設置されており、該照明器具は前記被覆部の上面又は下面に対して固定されている。
【００２４】
第７の発明によれば、コーブ照明を実現することができる。しかも、支持ブラケットにより照明器具を好適に支持することができるとともに、被覆部の上面を照明器具の載置面とすることで照明器具を好適に設置することができる。
【００２５】
第８の発明では、第７の発明において、前記被覆部には、前記照明器具からの光を通過させる光通過部分が設けられている。
【００２６】
第８の発明によれば、照明器具の光をコーブの上方及び下方の両方に放出することができるバランス照明を実現することができる。このため、腕木部により壁部に関する意匠性が低下することを抑制できる構成において、コーブ照明による照明態様の自由度を高めることができる。
【００２７】
第９の発明では、第７又は第８の発明において、前記被覆部は中空部を有しており、前記壁固定部は前記中空部に入り込んだ状態になっており、前記中空部において、前記幕板部は前記腕木部から前記壁部とは反対側に向けて離間しており、その離間部分に、前記壁部の幅方向に沿って電気配線を通すことが可能な配線通し部が設けられている。
【００２８】
第９の発明によれば、腕木部に加えて電気配線を被覆部により上下両方から覆うことが可能になる。この場合、人の視界に電気配線が入ることを被覆部により回避することで、壁部に関する意匠性が電気配線により低下するということを抑制できる。
【００２９】
第１０の発明の建物の内装構造は、建物内において、照明器具を支持するための支持ブラケットが壁部に取り付けられている建物の内装構造であって、前記支持ブラケットは、前記壁部に対して固定された壁固定部と、前記壁固定部から前記壁部とは反対側に向けて延びている腕木部と、を有していることを特徴とする。
【００３０】
第１０の発明によれば、支持ブラケットにより照明器具を好適に支持することができる。
【図面の簡単な説明】
【００３１】
【図１】廊下の内装構造を示す図
【図２】コーブ形成部の構成を示す図
【図３】支持ブラケットの構成を示す図
【図４】コーブ形成部の取り付け手順を説明するための図
【図５】別のコーブ形成部の構成を示す縦断面図
【図６】別の支持ブラケットの構成を示す斜視図
【発明を実施するための形態】
【００３２】
以下、本発明を具体化した一実施形態について図面を参照しつつ説明する。本実施形態では、本発明の内装構造を、建物内空間が間仕切壁により複数の居住空間に仕切られた建物において具体化している。
【００３３】
図１は廊下１１の内装構造を示す図、図２はコーブ形成部２３の構成を示す図、図３は支持ブラケット３１の構成を示す図である。なお、図１においては、（ａ）に廊下１１の第１壁部１２ａの正面図を示し、（ｂ）に（ａ）のＡ−Ａ線断面図を示す。図２においては、（ａ）に図１（ｂ）のＢ−Ｂ線断面図を示し、（ｂ）に図１（ｂ）のＣ−Ｃ線断面図を示し、（ｂ）においては照明器具２２の図示を省略している。図３においては、（ａ）に支持ブラケット３１の斜視図を示し、（ｂ）に支持ブラケット３１を形成する板材５１の図を示す。
【００３４】
図１（ａ）に示すように、建物は居住空間としての廊下１１を有している。建物は、居住空間同士を仕切る間仕切壁１２を有しており、廊下１１は間仕切壁１２により区画されている。間仕切壁１２は、建物躯体に取り付けられた壁下地材と、壁下地材に取り付けられた壁面材とを有しており、壁面材は壁下地材を挟んで一対設けられている。壁下地材は下地フレーム等により形成されており、壁面材は石膏ボード等により形成されている。
【００３５】
廊下１１は、リビングや寝室といった別の居住空間に隣り合っており、間仕切壁１２における廊下１１と別の居住空間とを仕切る部分には、出入口１３が設けられている。出入口１３には、開口枠としてのドア枠１４が取り付けられており、そのドア枠１４に対して開き戸等のドア１５が開閉可能に取り付けられている。
【００３６】
廊下１１の照明方式は、間仕切壁１２に対して照明を組み込んだ建築化照明（間接照明）とされている。廊下１１には、上方に向けて開放されたコーブ２１が設けられており、そのコーブ２１に照明器具２２が設置されている（図１（ｂ）参照）。この場合、廊下１１の照明方式は、天井面を照らすことで空間の明るさを得るコーブ照明であると言える。
【００３７】
廊下１１においては、間仕切壁１２との間にコーブ２１を形成するコーブ形成部２３が、その間仕切壁１２に対して取り付けられている。間仕切壁１２は、廊下１１の幅方向に沿って延びる第１壁部１２ａと、第１壁部１２ａを挟んで互いに対向する一対の第２壁部１２ｂとを形成しており、コーブ形成部２３は、第１壁部１２ａに対して取り付けられている。コーブ形成部２３は、第１壁部１２ａの幅方向に沿って延びており、一対の第２壁部１２ｂに掛け渡された状態になっている。この場合、第１壁部１２ａの幅方向において、コーブ形成部２３の幅寸法は一対の第２壁部１２ｂの離間距離とほぼ同じ又はそれよりも僅かに小さくされている。
【００３８】
コーブ形成部２３は、上下方向において天井寄りの高さ位置に配置されている。具体的には、コーブ形成部２３は、出入口１３のドア枠１４よりも高い位置に配置されている。この場合、開放したドア１５がコーブ形成部２３に接触することを回避できる。なお、コーブ形成部２３は、第２壁部１２ｂに沿って延びる状態でその第２壁部１２ｂに対して取り付けられていてもよい。ここで、コーブ形成部２３がドア枠１４よりも高い位置に配置されていれば、第１壁部１２ａ及び第２壁部１２ｂのいずれにコーブ形成部２３を取り付ける場合でも、コーブ形成部２３の高さ位置を変更する必要がない。
【００３９】
図１（ｂ）に示すように、第１壁部１２ａには、コーブ形成部２３を支持する支持ブラケット３１が取り付けられており、コーブ形成部２３は支持ブラケット３１に固定されている。支持ブラケット３１は、第１壁部１２ａに固定された壁固定部３２と、壁固定部３２から第１壁部１２ａとは反対側に向けて延びている腕木部３３とを有している。
【００４０】
コーブ形成部２３は、第１壁部１２ａから離間した位置に設けられている幕板部４１と、腕木部３３を上方及び下方から覆っている被覆部４２とを有している。幕板部４１は、所定間隔で第１壁部１２ａと対向しており、被覆部４２から上方に向けて延びている。被覆部４２は、幕板部４１と第１壁部１２ａとの間に設けられており、それら幕板部４１と第１壁部１２ａとに掛け渡された状態になっている。ここで、コーブ２１は、第１壁部１２ａ、幕板部４１及び被覆部４２により形成されており、下方に向けて凹んだ凹部になっている。
【００４１】
被覆部４２は、腕木部３３を上方から覆う上板部４３と、腕木部３３を下方から覆う下板部４４とを有している。上板部４３は腕木部３３の上側に配置され、下板部４４は腕木部３３の下側に配置されている。上板部４３と下板部４４とは上下に離間しており、その離間部分を被覆部４２の中空部４６とすれば、中空部４６は、第１壁部１２ａの幅方向に沿って延びている横長空間とされている。例えば、コーブ形成部２３が第１壁部１２ａに取り付けられていない状態を想定すると、中空部４６は、幕板部４１とは反対側に向けて開放された溝部を形成していることになる。この場合、腕木部３３が、溝部開放側（第１壁部１２ａ側）から溝部内（中空部４６）内に入り込んだ状態になっているとも言える。
【００４２】
上板部４３及び下板部４４は、幕板部４１から第１壁部１２ａに向けて延びている。この場合、幕板部４１と第１壁部１２ａとの並び方向において、上板部４３及び下板部４４は、それぞれの端面が幕板部４１の板面に重ねられた状態で、ビスや接着剤等により幕板部４１に対して固定されている。幕板部４１と第１壁部１２ａとの並び方向において、上板部４３及び下板部４４の各幅寸法は、第１壁部１２ａと幕板部４１との離間距離とほぼ同じ又はそれよりも若干小さくされており、上板部４３及び下板部４４と第１壁部１２ａとの間に隙間がない状態になっている。
【００４３】
なお、コーブ２１内に設置されている照明器具２２は、蛍光灯などの光源を有する長尺状の照明装置とされている。照明器具２２は、被覆部４２の上面（上板部４３）に載置されており、ビス等により被覆部４２（上板部４３や連結部４８，４９）に対して固定されている。
【００４４】
コーブ形成部２３においては、第１壁部１２ａと幕板部４１との離間距離が、照明器具２２の短手寸法の２倍よりも大きくされている。この場合、コーブ２１内においては、上板部４３の上に２つの照明器具２２の端部同士が、第１壁部１２ａと幕板部４１との並び方向に重ねた状態で配置されている。ここで、照明器具２２の端部には、光源に電気的に接続される接続部などが配置されており、照明器具２２の端部からは光が放出されないため、複数の照明器具２２を単に直列に並べたのでは隣り合う照明器具２２の境界部分において光の切れ目が生じてしまう。これに対して、隣り合う照明器具２２の端部同士を横並びに重ねることで光の切れ目の発生を抑制できる。
【００４５】
図２（ａ），（ｂ）に示すように、幕板部４１、上板部４３及び下板部４４は、第１壁部１２ａの幅方向に延びており、いずれも一対の第２壁部１２ｂに掛け渡された状態になっている。被覆部４２は、上板部４３と下板部４４とを連結する連結部４８，４９を有している。連結部４８，４９は、被覆部４２の中空部４６に配置されており、第１壁部１２ａの幅方向に沿って所定間隔で複数並べられている。連結部４８，４９は、第１壁部１２ａと幕板部４１とに掛け渡されており、一方の端面が幕板部４１の側面に重ねられた状態で、ビスや接着材等により幕板部４１に対して固定されている。
【００４６】
連結部４８，４９のうち、端部連結部４８は、第１壁部１２ａの幅方向において被覆部４２の端部に配置されており、中間連結部４９は、中間位置に配置されている。この場合、被覆部４２の中空部４６は、中間連結部４９により複数の空間部に仕切られており、それら空間部は被覆部４２の幅方向に沿って並んでいる。端部連結部４８は、その側面が第２壁部１２ｂの壁面に重ねられた状態で、その第２壁部１２ｂの壁下地材に対してビス固定されている。一方、中間連結部４９は、その側面が支持ブラケット３１の腕木部３３の側面に重ねられた状態で、その腕木部３３に対してビス等により固定されている。この場合、中間連結部４９と腕木部３３とは、第１壁部１２ａに沿って横並びに配置されている。
【００４７】
なお、コーブ形成部２３においては、幕板部４１、上板部４３、下板部４４、連結部４８，４９がそれぞれ木材や合成樹脂材料などにより形成されており、ビス等の固定具を打ち込み可能になっている。
【００４８】
支持ブラケット３１は、第１壁部１２ａの幅方向に沿って所定間隔で複数設けられている。各支持ブラケット３１は、第１壁部１２ａの幅方向において中間位置に配置されており、コーブ形成部２３の各端部連結部４８の位置に対応している。また、支持ブラケット３１は、コーブ形成部２３の下板部４４よりも高い位置に配置されている。
【００４９】
支持ブラケット３１において、壁固定部３２及び腕木部３３はそれぞれ板状に形成されている。壁固定部３２は、その板面を第１壁部１２ａの壁面に重ねた状態で、第１壁部１２ａの壁下地材に対してビス等により固定されている。壁固定部３２は、上下方向に延びている長尺部であり、ビス孔３２ａを複数有している。ビス孔３２ａは、壁固定部３２において上端寄りの位置及び下端寄りの位置にそれぞれ配置されている。ここで、腕木部３３は壁固定部３２の下部に接続されている。この場合、上側のビス孔３２ａが腕木部３３よりも高い位置に配置されているため、コーブ形成部２３や照明器具２２などから腕木部３３に加えられた下向きの荷重が、各ビス孔３２ａに固定されたビス等に分散される。これにより、第１壁部１２ａに対する支持ブラケット３１の固定強度を高めることができる。
【００５０】
壁固定部３２の上端部は、上下方向において上板部４３と幕板部４１の上端部との間の高さ位置にある。この場合、壁固定部３２は、被覆部４２よりも上方に露出している一方で、壁固定部３２がコーブ形成部２３により覆い隠された状態になっており、住人等が廊下１１において第１壁部１２ａを正面から見ただけでは、壁固定部３２が見えないようになっている。ここで、上板部４３において、第１壁部１２ａ側の端部には幕板部４１側に向けて凹んだ凹み部が形成されており、壁固定部３２は、その凹部を通じて中空部４６から第１壁部１２ａに沿って上方に向けてコーブ２１内に突出している。
【００５１】
なお、壁固定部３２においては、下側のビス孔３２ａは上板部４３と下板部４４との間の高さ位置に配置され、上側のビス孔３２ａは上板部４３よりも高い位置に配置されている。また、壁固定部３２の上下方向の長さ寸法（上下寸法）は、幕板部４１の上下寸法よりも小さくされている。
【００５２】
腕木部３３は、腕木部３３の下部から左右方向に延びている長尺部であり、その下端部は壁固定部３２の下端部と同じ高さ位置にされている。腕木部３３の板面は上下方向に延びており、それによって、腕木部３３と壁固定部３２との接続部分が上下方向に延びている。この場合、腕木部３３と壁固定部３２との接続部分においては、腕木部３３に加えられた下向きの荷重が上下に分散されるため、この接続部分が左右方向に延びている構成に比べて、壁固定部３２による腕木部３３の支持強度を高めることができる。
【００５３】
腕木部３３の高さ寸法は、上板部４３と下板部４４との離間距離（中空部４６の高さ寸法）よりも小さくされている。つまり、中間連結部４９の高さ寸法よりも小さくされている。この場合、上下方向において上板部４３及び下板部４４のいずれを腕木部３３に近づけるかによって、腕木部３３に対するコーブ形成部２３の相対的な高さ位置を変更することが可能になる。したがって、支持ブラケット３１を第１壁部１２ａに取り付け後であっても、コーブ形成部２３の高さ位置について微調整を行うことが可能になっている。
【００５４】
第１壁部１２ａからの腕木部３３の延出寸法は、第１壁部１２ａからの被覆部４２（上板部４３及び下板部４４）の延出寸法とほぼ同じにされている。この場合、上下方向において、上板部４３及び下板部４４のうち少なくとも一方と腕木部３３とは離間しているものの、腕木部３３は中間連結部４９と同様に被覆部４２の中空部４６を左右に仕切ったような状態になっている。なお、腕木部３３の先端面は幕板部４１の板面に重なった状態になっている。
【００５５】
腕木部３３には、ビス孔３３ａが複数設けられている。ビス孔３３ａは、腕木部３３と中間連結部４９との並び方向に沿って延びており、腕木部３３において基端寄り（壁固定部３２寄り）の位置及び先端寄り（幕板部４１寄り）の位置にそれぞれ配置されている。このため、各ビス孔３３ａを使用して腕木部３３に対して中間連結部４９がビス等により固定されている場合、支持ブラケット３１が、被覆部４２における第１壁部１２ａ側の部分と幕板部４１側の部分の両方を支持していることになる。つまり、幕板部４１と第１壁部１２ａとの並び方向において、支持ブラケット３１がコーブ形成部２３の全体を好適に支持していることになる。
【００５６】
なお、支持ブラケット３１においては、壁固定部３２に形成された下側のビス孔３２ａと、腕木部３３に形成された各ビス孔３３ａとが同じ高さ位置に配置されている。
【００５７】
図３（ａ）に示すように、支持ブラケット３１においては、壁固定部３２の両側端部のうち一方の側端部に腕木部３３が接続されている。支持ブラケット３１は、金属材料により形成された略Ｌ字状の板材５１が折り曲げられることで形成されている。
【００５８】
図３（ｂ）に示すように、板材５１には、上下方向に延びる上下部分５１ａと、その上下部分５１ａから側方に向けて延びている側方部分５１ｂとを有している。この板材５１を、上下部分５１ａと側方部分５１ｂとの境界線を折曲線として、上下部分５１ａと側方部分５１ｂとの角度が直角になるように厚み方向に折り曲げる。このようにして、板材５１により支持ブラケット３１が形成されている。この場合、上下部分５１ａにより壁固定部３２が形成され、側方部分５１ｂにより腕木部３３が形成される。また、ビス孔３２ａ，３３ａはあらかじめ板材５１に形成されている。
【００５９】
次に、第１壁部１２ａにコーブ形成部２３を取り付ける取り付け手順について、図４を参照しつつ説明する。図４はコーブ形成部２３の取り付け手順を説明するための図である。
【００６０】
図４に示すように、まず、第１壁部１２ａに対して複数の支持ブラケット３１を所定の高さ位置にそれぞれ取り付ける。ここで、コーブ形成部２３について、上板部４３に対して端部連結部４８及び中間連結部４９を取り付け、連結部４８，４９及び上板部４３に対して幕板部４１を取り付けておく。この状態で、上板部４３を支持ブラケット３１の上に載せ、それによって、支持ブラケット３１に対するコーブ形成部２３の仮取り付けを行う。
【００６１】
この場合、コーブ形成部２３は、下板部４４だけを取り付けていない状態になっており、支持ブラケット３１の腕木部３３、端部連結部４８及び中間連結部４９が下方に露出している。そこで、作業者はコーブ形成部２３に対して下方から、端部連結部４８を第２壁部１２ｂに固定するとともに、中間連結部４９を腕木部３３に固定する。ここで、コーブ形成部２３が腕木部３３の上に載せられているため、作業者は、片手でコーブ形成部２３を位置保持しながらもう一方の手で腕木部３３への固定作業を行うという必要がなく、腕木部３３への固定作業を両手で行うことが可能になる。これにより、腕木部３３への固定作業を容易化できる。
【００６２】
その後、連結部４８，４９及び腕木部３３などを下方から覆うように下板部４４を連結部４８，４９に固定する。ここで、コーブ形成部２３については、下板部４４に対して連結部４８，４９を取り付けておき、上板部４３だけを取り付けていない状態で支持ブラケット３１に取り付けることも可能である。ところが、本実施形態では、コーブ形成部２３を天井寄りの高さ位置に設置するため、上板部４３を後付けする作業手順では、上板部４３の取り付け作業を幕板部４１と天井面との間という狭小空間で行うことになり、作業効率が低下することが懸念される。これに対して、下板部４４を後付けする作業手順では、下板部４４の取り付け作業を幕板部４１よりも下側の広い空間で行うことができる。
【００６３】
ちなみに、コーブ形成部２３については、まず、中間連結部４９を腕木部３３に取り付けるとともに、端部連結部４８を第２壁部１２ｂに取り付けておき、その後、連結部４８，４９に幕板部４１、上板部４３及び下板部４４を個別に取り付けることも可能である。
【００６４】
そして、コーブ形成部２３を第１壁部１２ａに対して取り付けた後には、コーブ２１内に照明器具２２を設置する。この場合、照明器具２２を上板部４３の上に載置し、ビス等の固定具を用いて連結部４８，４９に対して固定する。なお、照明器具２２は上板部４３の上に載置しただけで、連結部４８，４９に対しては固定しておかなくてもよい。
【００６５】
以上詳述した本実施形態によれば、以下の優れた効果が得られる。
【００６６】
コーブ形成部２３においては、被覆部４２が支持ブラケット３１の腕木部３３を上下両方から覆っているため、コーブ形成部２３を設置する高さに関係なく、廊下１１において人の視界に腕木部３３が入ることを被覆部４２により抑制できる。したがって、第１壁部１２ａに対してコーブ２１が設けられている廊下１１において、第１壁部１２ａに対する意匠性を好適なものにすることができる。
【００６７】
しかも、支持ブラケット３１の壁固定部３２は、幕板部４１の上端と下端との間の高さ位置に設けられているため、幕板部４１が壁固定部３２を覆い隠した状態になっている。この場合、廊下１１において人の視界に壁固定部３２が入りにくくなっており、第１壁部１２ａに対する意匠性が壁固定部３２により低下するということを抑制できる。
【００６８】
被覆部４２においては、上板部４３と下板部４４との間の空間を、腕木部３３を収納するための空間として利用することができる。しかも、その空間は第１壁部１２ａの幅方向に沿って延びる横長空間になっているため、腕木部３３が第１壁部１２ａの幅方向に沿って複数設けられている構成において、全ての腕木部３３を上板部４３と下板部４４との間に収納することが可能になる。したがって、腕木部３３の配置が上板部４３及び下板部４４により制限されることがなく、コーブ形成部２３を支持する上で好適な位置に腕木部３３（支持ブラケット３１）を配置することができる。
【００６９】
上板部４３及び下板部４４は中間連結部４９を介して腕木部３３に固定されているため、上板部４３と下板部４４との離間距離を腕木部３３の高さ寸法に左右されることなく所定値に設定することができる。したがって、支持ブラケット３１が複数設けられている構成において、仮に各支持ブラケット３１の腕木部３３の高さ寸法に製造誤差が含まれていたとしても、それら腕木部３３に上板部４３及び下板部４４に取り付けられる各部分について、上板部４３と下板部４４との離間距離を均一化することができる。この場合、上板部４３の上面や下板部４４の下面を平坦面にすることができ、ひいては、コーブ形成部２３の意匠性を高めることになる。
【００７０】
支持ブラケット３１において、腕木部３３が上下方向に立った状態とされているため、上下方向の荷重に対する腕木部３３の支持強度を高めることができる。しかも、腕木部３３の板面が中間連結部４９の側面に重ねられているため、ビス等を腕木部３３のビス孔３３ａを通じて中間連結部４９に打ち込むことが可能になっている。これにより、中間連結部４９を腕木部３３に固定する作業を容易化できる。
【００７１】
支持ブラケット３１において、腕木部３３と壁固定部３２との接続部分が上下方向に延びているため、その接続部分について上下方向の荷重に対する接続強度を高めることができる。しかも、腕木部３３の端部が壁固定部３２の側端部に接続されているため、板材５１を折り曲げるという容易な作業により、支持ブラケット３１を作製することが可能になる。
【００７２】
コーブ２１において、照明器具２２が被覆部４２の上面に載置され、その状態で被覆部４２に対して固定されているため、照明器具２２を適正に設置することができる。
【００７３】
コーブ形成部２３において、端部連結部４８が第２壁部１２ｂに固定されているため、端部連結部４８に対応した支持ブラケット３１を設置していない構成であっても、コーブ形成部２３の端部を好適に位置保持できる。
【００７４】
腕木部３３が下板部４４により下方から覆われているため、例えば腕木部３３がコーブ形成部２３の下側に露出している構成とは異なり、廊下１１において人の視界に腕木部３３が入りにくくなり、間仕切壁１２の壁面について意匠性が腕木部３３により低下することを抑制できる。
【００７５】
腕木部３３が上板部４３により上方から覆われているため、照明器具２２を上板部４３の上面に好適に載置することができる。例えば腕木部３３が被覆部４２の上側に配置されている構成では、照明器具２２を腕木部３３の上に直接載置することになり、照明器具２２の設置状態が不安定になることが懸念される。さらに、隣り合う腕木部３３の離間距離と、照明器具２２の長さ寸法とが適合していない場合には、照明器具２２が傾くことで照明器具２２の光の放出態様が不均一になることや、照明器具２２同士の間に腕木部３３が入り込んでその腕木部３３の影が天井面に映ることなどにより、建築化照明の質感が低下することが懸念される。これに対して、本実施形態では、腕木部３３が上板部４３により上方から覆われているため、これらの懸念を解消することができる。
【００７６】
［他の実施形態］
本発明は上記実施形態の記載内容に限定されず、例えば次のように実施されてもよい。
【００７７】
（１）コーブ形成部２３においては、被覆部４２の中空部４６に電気配線が敷設されていてもよい。例えば、図５（ａ）に示すように、被覆部４２の中空部４６において、幕板部４１が第１壁部１２ａとは反対側に向けて腕木部３３から離間している構成とする。この構成では、中間連結部４９に切り欠き部６１が形成されており、第１壁部１２ａの幅方向に沿ってコーブ形成部２３を見て、幕板部４１及び腕木部３３の離間部分と切り欠き部６１とが重なっている領域が、第１壁部１２ａの幅方向に沿って電気配線Ｃが通された配線通し部とされている。
【００７８】
ここで、被覆部４２においては中空部４６が腕木部３３及び中間連結部４９により複数の空間部に仕切られているが、それら空間部は配線通し部を通じて互いに連通されており、その配線通し部を通じて複数の空間部に掛け渡した状態で電気配線Ｃを敷設することができる。この場合、被覆部４２の中空部４６を、電気配線Ｃを敷設することが可能な配線スペースとして利用していることになる。
【００７９】
配線通し部においては、第１壁部１２ａからの腕木部３３の延出寸法が、第１壁部１２ａからの上板部４３及び下板部４４からの延出寸法よりも小さくされており、電気配線Ｃを、切り欠き部６１を通過させることでコーブ形成部２３の幅方向に沿って延びる状態で中空部４６内に敷設することができる。この場合、被覆部４２の上側や下側に電気配線Ｃを敷設する場合とは異なり、電気配線Ｃが人の視界に入ることが被覆部４２（上板部４３及び下板部４４）により回避されるため、第１壁部１２ａに関する意匠性が電気配線Ｃにより低下することを抑制できる。
【００８０】
（２）コーブ形成部２３においては、照明器具２２からの光が下方に向けて放出されてもよい。例えば、図５（ｂ）に示すように、照明器具２２からの光を下方に向けて通過させる光通過部分６３が被覆部４２に設けられている構成とする。
【００８１】
この構成では、被覆部４２における幕板部４１側の部分が光通過部分６３とされており、光通過部分６３においては、上板部４３及び下板部４４が設けられていない。つまり、光通過部分６３は、上板部４３及び下板部４４が設置されていない非設置部分になっている。この場合、第１壁部１２ａからの腕木部３３の延出寸法が、第１壁部１２ａから上板部４３及び下板部４４の延出寸法よりも大きくされている。この構成によれば、廊下１１の照明方式を、照明器具２２の光によりコーブ２１の下側及び上側の両方を照らすことが可能なバランス照明とすることができる。
【００８２】
なお、コーブ形成部２３においては、被覆部４２における第１壁部１２ａ側の部分が光通過部分６３とされていてもよく、被覆部４２における第１壁部１２ａと幕板部４１との間の中間部分が光通過部分６３とされていてもよい。
【００８３】
また、光通過部分６３には、光透過性を有する透明パネルが取り付けられていてもよい。この場合でも、透明パネルを通じて照明器具２２の光をコーブ２１の下方に放出することができる。
【００８４】
（３）幕板部４１が支持ブラケット３１に固定されていてもよい。例えば、図６（ａ）に示すように、支持ブラケット３１が幕板部４１が固定される幕板固定部６５を有している構成とする。幕板固定部６５は、腕木部３３を挟んで壁固定部３２とは反対側に設けられており、壁固定部３２と平行に上下方向に延びている。幕板固定部６５は、壁固定部３２及び腕木部３３と同様に板状に形成されており、ビス孔６５ａを有している。幕板固定部６５には、その板面に幕板部４１の板面が重ねられた状態で、その幕板部４１がビス孔６５ａに対してビス等により固定されている。
【００８５】
なお、上板部４３において、幕板部４１側の端部には第１壁部１２ａ側に向けて凹んだ凹み部が形成されており、幕板固定部６５はその凹部を通じて中空部４６から幕板部４１に沿って上方に向けてコーブ２１内に突出している。
【００８６】
腕木部３３と幕板固定部６５との接続部分は上下方向に延びており、幕板固定部６５の両側端のうち一方の側端部に腕木部３３が接続されている。この場合、支持ブラケット３１は、金属材料により形成された略コ字状の板材が折り曲げられることで形成されている。このため、支持ブラケット３１が幕板固定部６５を有している場合でも、板材を折り曲げるという容易な作業により支持ブラケット３１を作製することができる。
【００８７】
支持ブラケット３１が幕板固定部６５を有している構成について、第１壁部１２ａに対するコーブ形成部２３の取り付け手順を簡単に説明する。まず、コーブ形成部２３について、上板部４３を除いて、幕板部４１、連結部４８，４９及び下板部４４を互いに組み付けておき、その状態のコーブ形成部２３を、既に第１壁部１２ａに取り付けておいた支持ブラケット３１に対して取り付ける。この場合、中間連結部４９を腕木部３３に固定することに加えて、幕板部４１を幕板固定部６５にビス等により固定する。そして、上板部４３を連結部４８，４９の上に載せた状態で、それら連結部４８，４９にビス等により固定する。
【００８８】
（４）照明器具２２が支持ブラケット３１に固定されていてもよい。例えば、図６（ｂ）に示すように、支持ブラケット３１が照明器具２２が取り付けられる器具取付部６６を有している構成とする。器具取付部６６は、腕木部３３の上端部に取り付けられており、その腕木部３３から側方に向けて突出した状態になっている。器具取付部６６には、照明器具２２を固定するためのビス孔６６ａが設けられており、そのビス孔６６ａは器具取付部６６を上下方向に貫通している。このため、照明器具２２が上板部４３を挟んで器具取付部６６の上方に設置されている場合に、コーブ２１内において照明器具２２の一部を貫通したビス等をビス孔６６ａに螺着することで、器具取付部６６に照明器具２２を固定することができる。
【００８９】
（５）上記実施形態では、支持ブラケット３１において壁固定部３２が腕木部３３から上方に向けて延びていたが、壁固定部３２は腕木部３３から下方や側方に向けて延びていてもよい。なお、壁固定部３２が腕木部３３から下方に向けて延びている支持ブラケット３１は、Ｌ字状の板材５１を折り曲げることで容易に形成することができる。また、壁固定部３２が腕木部３３から側方に向けて延びている支持ブラケット３１は、１枚の板材を板厚み方向に折り曲げることで容易に形成することができる。
【００９０】
（６）上板部４３及び下板部４４が支持ブラケット３１の壁固定部３２や腕木部３３に直接固定されていてもよい。例えば、図６（ｃ）に示すように、壁固定部３２が腕木部３３から側方に向けて延びている支持ブラケット３１において、壁固定部３２が断面コ字状の溝形鋼により形成された構成とする。この構成では、壁固定部３２において、ウェブを挟んで上下のそれぞれにフランジが配置されている。この場合、上板部４３を壁固定部３２の上側フランジの上に載置し、その状態で上側フランジにビス等により固定することが可能であり、下板部４４を壁固定部３２の下側フランジの下面に重ね、その状態で下側フランジにビス等により固定することが可能である。
【００９１】
（７）上記実施形態では、支持ブラケット３１において、腕木部３３が壁固定部３２の下端部に接続されていたが、腕木部３３は、壁固定部３２の上端部に接続されていてもよく、上下方向において壁固定部３２の中間部分に接続されていてもよい。
【００９２】
（８）上記実施形態では、コーブ形成部２３が天井面寄りの高さ位置に配置されたが、床面寄りの高さ位置に配置されてもよい。つまり、コーブ２１内に設置された照明器具２２により床面を照らしてもよい。例えば、コーブ２１が上方ではなく下方に向けて開放されている構成とする。この構成では、幕板部４１が被覆部４２から下方に向けて延びており、照明器具２２がコーブ２１内に下方から入り込んだ状態で設置されている。この場合、意匠上においては支持ブラケット３１が被覆部４２から上方に突出しないことが好ましく、壁固定部３２は腕木部３３から下方又は側方に向けて延びている。なお、この場合、照明器具２２は、被覆部４２の下面（下板部４４や連結部４８，４９）に対してビス等により固定されている。
【００９３】
（９）上記実施形態では、コーブ形成部２３において、連結部４８，４９が第１壁部１２ａと幕板部４１とに掛け渡された状態になっていたが、連結部４８，４９は、第１壁部１２ａと幕板部４１との並び方向において中間位置や端部寄りの位置にだけ配置されていてもよい。この場合でも、上板部４３と下板部４４とを連結部４８，４９により連結することが可能である。また、端部連結部４８を第２壁部１２ｂに固定すること、及び中間連結部４９を腕木部３３に固定することがそれぞれ可能である。
【００９４】
（１０）上記実施形態では、端部連結部４８に対しては支持ブラケット３１が設けられていなかったが、端部連結部４８に対しても支持ブラケット３１が設けられていてもよい。この場合、端部連結部４８は第２壁部１２ｂではなく腕木部３３に固定されていることが好ましい。
【００９５】
（１１）上記実施形態では、被覆部４２において、上板部４３及び下板部４４という複数の部材が腕木部３３を上下両方から覆う構成としたが、１つの部材が腕木部３３を上下両方から覆う構成としてもよい。例えば、腕木部３３の高さ寸法よりも大きい高さ寸法を有するケース体を被覆部４２とし、そのケース体の内部に腕木部３３が入り込むようにして、腕木部３３に対してケース体が取り付けられる構成とする。
【００９６】
（１２）第１壁部１２ａにおいて、幕板部４１と対向する部分には、壁面材が取り付けられていなくてもよい。つまり、壁下地材が幕板部４１側に露出していてもよい。この場合でも、壁下地材が幕板部４１により覆い隠されることで、第１壁部１２ａに対する意匠性が低下することを抑制できる。
【００９７】
（１３）上記実施形態では、コーブ形成部２３が間仕切壁１２に取り付けられていたが、コーブ形成部２３は外壁の内壁面に対して取り付けられていてもよく、垂れ壁に取り付けられていてもよい。例えば、コーブ形成部２３が間仕切壁１２（又は外壁）と垂れ壁との間に配置され、その位置で垂れ壁の壁面に対して取り付けられている構成とする。この場合、コーブ２１内に設置された照明器具２２の光は天井面及び間仕切壁１２の壁面に反射して廊下１１を照らすことになるため、コーニス照明が実現されていることになる。
【符号の説明】
【００９８】
１２…壁部としての間仕切壁、１２ａ…壁部としての第１壁部、２１…コーブ、２２…照明器具、２３…コーブ形成部、３１…支持ブラケット、３２…壁固定部、３３…腕木部、４１…幕板部、４２…被覆部、４３…上板部、４４…下板部、４６…配線スペースとしての中空部、４９…連結部としての中間連結部、６３…光通過部分、Ｃ…電気配線。
【図１】
2014145164.tif 000003
【図２】
2014145164.tif 000004
【図３】
2014145164.tif 000005
【図４】
2014145164.tif 000006
【図５】
2014145164.tif 000007
【図６】
2014145164.tif 000008